(57)【要約】【課題】音声・画像データを格納した外部機器との間で通信を行ないこれらのデータを表示する際に音声データに関連付けられた画像データの状態を簡単明瞭に表示し得る情報表示装置と情報表示プログラムとを提供する。【解決手段】外部機器に格納されているデータを第１の表示モードで表示するか第２の表示モードで表示するかを選択する表示選択手段と、表示選択手段により第１の表示モードが選択された場合には外部機器の任意の音声データを表示すると共にそれに関連付けられている画像データを表示する第１の表示手段と、表示選択手段により第２の表示モードが選択された場合には外部機器の画像フォルダに格納されている画像データのうち外部機器の音声データに関連付けのない画像データを表示する第２の表示手段とを具備する。【選択図】　　図１４
2004134986.tif 000002
【特許請求の範囲】
【請求項１】
音声データ及び画像データを格納した外部機器と通信を行ない当該外部機器に格納されている音声データ及び画像データを表示する情報表示装置であって、
上記外部機器に格納されているデータを第１の表示モードで表示するか第２の表示モードで表示するかを選択する表示選択手段と、
上記表示選択手段により上記第１の表示モードが選択された場合には上記外部機器の任意の音声データを表示すると共に、その音声データに関連付けられている画像データを表示する第１の表示手段と、
上記表示選択手段により上記第２の表示モードが選択された場合には上記外部機器の画像データを格納するフォルダに格納されている画像データのうち上記外部機器に格納されている音声データのいずれにも関連付けられていない画像データを表示する第２の表示手段と、
を具備することを特徴とする情報表示装置。
【請求項２】
上記第１の表示手段は、上記任意の音声データのファイルヘッダ情報を読み取ることでその音声データに関連付けられている画像データを特定する情報を取得し上記任意の音声データに関連付けられている画像データの特定及び有無を調べ上記任意の音声データに関連付けられている画像データを表示することを特徴とする請求項１に記載の情報表示装置。
【請求項３】
上記第２の表示手段は、上記外部機器の画像データ格納するフォルダに格納されている画像データの全てのファイルヘッダ部に記録されている音声データとの関連付けがなされているか否かの情報を取得して、上記外部機器に格納されているいずれの音声データにも関連付けられていない画像データのみを表示することを特徴とする請求項１に記載の情報表示装置。
【請求項４】
情報表示装置に接続された外部機器との通信を行なって当該外部機器に格納されている音声データ及び画像データを上記情報表示装置の画面上に表示させ得る情報表示プログラムであって、
上記情報表示プログラムは、上記外部機器に格納されているデータを第１の表示モードで上記情報表示装置に表示させるか第２の表示モードで上記情報表示装置に表示させるかを操作者に選択させるための機能と、
操作者によって上記第１の表示モードが選択された場合には、上記外部機器の任意の音声データを上記情報表示装置に表示させると共に、その音声データに関連付けられている画像データを上記情報表示装置に表示させる機能と、
操作者によって上記第２の表示モードが選択された場合には、上記外部機器の画像データを格納するフォルダに格納されている画像データのうち上記外部機器に格納されているいずれの音声データにも関連付けられていない画像データを上記情報表示装置に表示させる機能と、
を実現することを特徴とする情報表示プログラム。
【発明の詳細な説明】
【０００１】
【発明の属する技術分野】
この発明は、情報表示装置又は情報表示プログラム、詳しくは音声データ及び画像データを格納した外部機器との間で通信を行なって、これに格納されているデータを表示する情報表示装置と、この情報表示装置と上記外部機器との間で通信を行なって当該外部機器に格納されているデータを上記情報表示装置の画面上に表示させる機能を実現する情報表示プログラムに関するものである。
【０００２】
【従来の技術】
従来より、画像データ及び音声データを所定の記録媒体に記録しておき、この記録済みの任意の画像データを再生するに際して音声データをも再生し得るようにした情報表示装置については、例えば特開平６−２５１０７９号公報等によって種々の提案がなされている。
【０００３】
上記特開平６−２５１０７９号公報によって開示されている画像音声ファイル装置は、画像データと音声データとが混在した状態で記録されている場合において、画像データに対応する音声データの有無を高速に判別することができるようにしたものである。そのために、音声データ及び画像データとは別にインデックスデータファイルを用意し、これを用いて音声データと画像データとの関連付け情報等を記録するようにしている。これにより、所定の記録媒体において混在した状態で記録されている画像データと音声データとの中から所望の画像データとこれに対応する音声データとを高速に判別することができるというものである。
【０００４】
一方、近年においては、音声と静止画像とを電子的なデータとして取得し得ると共に、取得した音声データ及び画像データを半導体メモリ等の所定の記録媒体に記録し格納し得るようにした小型の情報記録装置、例えば携帯型のデジタルレコーダ等が一般的に実用化されている。この場合において記録媒体に記録される音声データと画像データとは、それぞれが異なる所定の領域に記録するように構成されるのが普通である。
【０００５】
また、上述のような情報記録装置においては、いわゆるパーソナルコンピュータ等の情報表示装置等に接続し得るように構成し、両装置を接続した状態において互いに通信を行ない、情報記録装置によって取得した所定の音声データ及び画像データとを情報表示装置の側へ転送したり、情報表示装置の側から情報記録装置の側へと転送し得るように構成したものがある。
【０００６】
そこで、例えば情報記録装置によって取得された音声データに対して所望の画像データを関連付けて記録し得るように構成し、音声データを再生するに際しては、その音声データの再生中の所定のときに当該音声データに関連付けられた画像データを表示し得るようにする等の用途が考えられる。
【０００７】
【特許文献１】
特開平６−２５１０７９号公報
【０００８】
【発明が解決しようとする課題】
ところが、上記特開平６−２５１０７９号公報によって開示されている手段では、音声データと画像データとは異なるインデックスデータファイルを用意して、音声データと画像データとの関連付け情報等を記録するようにしている。このことから、例えば所定の音声データ又は画像データが削除されてしまうとインデックスデータファイルに記録されている関連付け情報に矛盾が生じてしまう等の問題点がある。
【０００９】
また、音声データ及び画像データを異なる記録媒体に移動した場合に関連付け情報を維持するためには、インデックスデータファイルも共に移動させる必要があるという問題点がある。
【００１０】
一方、情報記録装置と情報表示装置とを接続して互いに通信し得るような構成とした場合において、両装置のデータ管理システムが異なるものである場合には、上述の特開平６−２５１０７９号公報によって開示されている手段によっては、音声データ及び画像データに加えてインデックスデータをも同時に扱う必要があるため煩雑な処理が必要になってしまうという問題点がある。
【００１１】
本発明は、上述した点に鑑みてなされたものであって、その目的とするところは、音声データ及び画像データを格納した外部機器との間で通信を行なって当該外部機器に格納されている音声データ及び画像データを表示するのに際して音声データに関連付けられた画像データの状態を簡単にかつ明瞭に表示し得るようにした情報表示装置と、これに使用する情報表示プログラムとを提供することである。
【００１２】
【課題を解決するための手段】
上記目的を達成するために第１の発明による情報表示装置は、音声データ及び画像データを格納した外部機器と通信を行ない当該外部機器に格納されている音声データ及び画像データを表示する情報表示装置であって、上記外部機器に格納されているデータを第１の表示モードで表示するか第２の表示モードで表示するかを選択する表示選択手段と、上記表示選択手段により上記第１の表示モードが選択された場合には上記外部機器の任意の音声データを表示すると共に、その音声データに関連付けられている画像データを表示する第１の表示手段と、上記表示選択手段により上記第２の表示モードが選択された場合には上記外部機器の画像データを格納するフォルダに格納されている画像データのうち上記外部機器に格納されている音声データのいずれにも関連付けられていない画像データを表示する第２の表示手段とを具備することを特徴とする。
【００１３】
また第２の発明は上記第１の発明による情報表示装置において、上記第１の表示手段は、上記任意の音声データのファイルヘッダ情報を読み取ることでその音声データに関連付けられている画像データを特定する情報を取得し上記任意の音声データに関連付けられている画像データの特定及び有無を調べ上記任意の音声データに関連付けられている画像データを表示することを特徴とする。
【００１４】
そして第３の発明は上記第１の発明による情報表示装置において、上記第２の表示手段は、上記外部機器の画像データ格納するフォルダに格納されている画像データの全てのファイルヘッダ部に記録されている音声データとの関連付けがなされているか否かの情報を取得して、上記外部機器に格納されているいずれの音声データにも関連付けられていない画像データのみを表示することを特徴とする。
【００１５】
第４の発明による情報表示プログラムは、情報表示装置に接続された外部機器との通信を行なって当該外部機器に格納されている音声データ及び画像データを上記情報表示装置の画面上に表示させ得る情報表示プログラムであって、上記情報表示プログラムは、上記外部機器に格納されているデータを第１の表示モードで上記情報表示装置に表示させるか第２の表示モードで上記情報表示装置に表示させるかを操作者に選択させるための機能と、操作者によって上記第１の表示モードが選択された場合には、上記外部機器の任意の音声データを上記情報表示装置に表示させると共に、その音声データに関連付けられている画像データを上記情報表示装置に表示させる機能と、操作者によって上記第２の表示モードが選択された場合には、上記外部機器の画像データを格納するフォルダに格納されている画像データのうち上記外部機器に格納されているいずれの音声データにも関連付けられていない画像データを上記情報表示装置に表示させる機能とを実現することを特徴とする。
【００１６】
【発明の実施の形態】
以下、図示の実施の形態によって本発明を説明する。
図１は、本発明の一実施形態の情報表示装置とこれに接続される外部機器を示す概略構成図である。
【００１７】
本実施形態の情報表示装置２は、図１に示すように装置本体２ａと、表示部２ｂと、入力部２ｃとによって構成されており、例えば一般的な小型情報処理装置（小型コンピュータ）が適用されている。
【００１８】
つまり、この情報表示装置２の装置本体２ａは、本情報表示装置２の全体を制御し当該装置本体２ａに接続される各機器やこれらの各機器を介して入出力される電気信号等を適宜取り扱うべく設けられるＭＰＵ（ＭｉｃｒｏＰｒｏｃｅｓｓｉｎｇ　Ｕｎｉｔ）等を含む制御回路を実装した複数の回路基板等によって構成でされている。
【００１９】
また装置本体２ａには、情報記録装置である携帯型デジタルレコーダ等の外部機器１を接続するための接続端子２ｄが具備されている。この接続端子２ｄとしては、例えばシリアルインターフェース規格の一つであるＵＳＢ（Ｕｎｉｖｅｒｓａｌ　Ｓｅｒｉａｌ　Ｂｕｓ）規格に準拠したＵＳＢ端子等が適用される。そして、この接続端子２ｄには接続ケーブル２ｅの一端部が着脱自在に接続されている。
【００２０】
一方、外部機器１の側にも同規格に準拠した同様の接続端子１９が設けられており、この接続端子１９には、上述の接続ケーブル２ｅの他端部が着脱自在に接続されている。したがって、これにより情報表示装置２と外部機器１との両装置は、接続ケーブル２ｅを介して電気的に接続されたときには互いに通信し得るように構成されている。
【００２１】
なお、図１では情報表示装置２としては、いわゆる据え置き型（デスクトップ型）の形態のコンピュータを示しているが、これに限ることはなく例えばラップトップ型あるいはノートブック型の形態のコンピュータを利用するようにしてもよい。即ち、一般的に普及している小型コンピュータであれば全く同様に適用することができる。
【００２２】
また、本実施形態においては、外部機器１として情報記録装置である携帯型デジタルレコーダを例に挙げて説明しているが、これに限ることはなく、その他の形態の情報記録装置であってもよい。
【００２３】
次に、本実施形態の情報表示装置に接続される外部機器についての詳細について図２〜図４を用いて以下に説明する。
【００２４】
図２・図３は、本実施形態の情報表示装置に接続される外部機器の外観を示す斜視図であって、図２は当該外部機器の操作面側を主に示し、図３は当該外部機器の裏面側を主に示している。そして、図４は当該外部機器の内部構成を概略的に示すブロック構成図である。
【００２５】
外部機器１は、上述したように情報記録装置であって例えば携帯型デジタルレコーダ等が適用される。この外部機器１の操作面側の外表面には、図２・図３に示すように各種の機能を実現させるための複数の操作ボタン群４１と、液晶表示装置（ＬＣＤ）等からなり当該外部機器１における設定状態等を表示するための情報表示部１３と、発光ダイオード（ＬＥＤ）等からなり音声の記録時に点灯することで音声記録状態である旨を表示する録音表示ランプ１２と、音声を取得するためのマイク１１と、取得済みの音声データを再生する際にその音量調節を行なうための音量調節つまみ２１と、複数の光学レンズ等からなり画像データの対象となる物体（被写体）の像（被写体像）を所定の位置に形成する撮影レンズ１７と、所望の被写体を含み撮影し得る範囲を観察するためのファインダ装置におけるファインダ対物レンズ２９ａ及びファインダ接眼レンズ２９ｂと、このファインダ接眼レンズ２９ｂの近傍に設けられ点灯又は点滅することで撮影動作時の状態を表示する撮影ランプ３０と、誤操作を防止するための操作部材であって主電源のオンオフを切り換える操作部材をも兼ねるホールドボタン１８と、情報表示装置２（図１参照）との間で通信を行なうための接続端子１９と、取得済みの音声データを再生するためのスピーカー２６と、同様に取得済みの音声データを再生するためのイヤホン（図示せず）を接続するためのイヤホンジャック３１等がそれぞれ所定の位置に配設されている。
【００２６】
複数の操作ボタン群４１としては、次のようなものがある。即ち、
音声データの記録を開始する際に操作する録音ボタン１４、
年月日の設定や録音モードの切り換え等、本外部機器１における各種設定を行なうためのメニュー画面を呼び出したり、音声データの格納場所（フォルダ）の選択指定等を行なう際に操作するメニュー／フォルダボタン１５、
画像データの記録を行なう際に操作するシャッターボタン１６、
記録済みの音声データや画像データの消去を行なう際に操作する消去ボタン２０、
各種のファイル操作を行なったり各種の設定を行なう際に操作する集中ボタン３２、
等がある。
【００２７】
なお、メニュー／フォルダボタン１５は、所定の時間以上の長時間（例えば１秒以上）の押圧操作によってメニュー画面の呼び出しが実行される一方、短時間（例えば１秒未満）の押圧操作によってフォルダ切り換え操作が実行されるようになっている。
【００２８】
また、シャッターボタン１６は一般的な写真撮影機（カメラ）等におけるシャッターボタンと同様に、１段目の押圧操作によって測光動作を実行せしめ、続く２段目の押圧操作によってシャッターを駆動させて露出動作（撮影動作）を実行せしめるように構成された二段スイッチに対応する操作部材となっている。
【００２９】
集中ボタン３２は、複数の機能を一部材で操作し得るように構成されている操作部材であって、この集中ボタン３２には、例えば
再生動作や録音動作等の動作を停止させる際に操作する部位となる停止ボタン２２、
再生動作時に再生位置を変更する際に操作する操作部材であって、再生位置を現時点よりも時間的に戻す方向に移動させる操作を行なう部位となる戻しボタン２３、
再生動作時に再生位置を変更する際に操作する操作部材であって、再生位置を現時点よりも時間的に進める方向に移動させる操作を行なう部位となる送りボタン２４、
再生動作を開始する際に操作する部位となる再生ボタン２５、
等がある。
【００３０】
なお、集中ボタン３２における４つの部位（ボタン２２〜２５）は、本外部機器１の動作モードに応じて異なる機能が実行されるようにもなっている。例えば、本外部機器１の内部時計の設定を行なう場合等にも集中ボタンの４つの部位を適宜操作するようになっている。
【００３１】
続いて本外部機器１の内部構成について図４のブロック構成図に基づき以下に説明する。
【００３２】
本外部機器１は、音声を集音しこれを電気的な音声信号に変換する音声電気信号変換器であるマイク１１と、音声入力用の接続ケーブル等が接続されることで音声を本外部機器１に入力するためのライン入力端子１０２（図１〜図３では図示せず）と、マイク１１又はライン入力端子１０２から入力される音声信号を受けてこれを増幅し入力レベルの最適化を行なう信号増幅器であるプリアンプ１０４と、このプリアンプ１０４に入力する音声信号をマイク１１からのものとするか又はライン入力端子１０２からのものとするかを切り換える入力切換スイッチ（ＳＷ）１０３と、プリアンプ１０４や後述するデジタルシグナルプロセッサ（Ｄｉｇｉｔａｌ　Ｓｉｇｎａｌ　Ｐｒｏｃｅｓｓｏｒ；以下ＤＳＰと略記する）１１４から入力される音声信号を受けて所定の信号変換処理やフイルタ処理等を行なうオーディオコーディック１０５と、このオーディオコーディック１０５から出力される音声信号（アナログ信号）の出力先を切り換える出力切換スイッチ（ＳＷ）１０６と、出力切換スイッチ（ＳＷ）１０６を介して入力される音声信号をイヤホン（図示せず）を用いて発音するのに最適な信号となるように信号増幅処理を行なうイヤホンアンプ１０８と、イヤホン（図示せず）を本外部機器１に接続する接続手段であるイヤホン端子３１と、出力切換スイッチ（ＳＷ）１０６を介して入力される音声信号をスピーカー２６を用いて発音するのに最適な信号となるように信号増幅処理を行なうスピーカーアンプ１１０と、このスピーカアンプ１１０から出力される音声信号を受けて発音出力するスピーカー２６と、オーディオコーディック１０５からの出力信号（デジタル信号）を受けて圧縮符号化（エンコード）処理を施したり後述するＣＰＵ１１６からの出力信号を受けて伸張処理（デコード）を施す等のデジタル信号処理を行なうＤＳＰ１１４と、本外部機器１の回路全体を統括的に制御するＣＰＵ（Ｃｅｎｔｒａｌ　Ｐｒｏｃｅｓｓｉｎｇ　Ｕｎｉｔ；中央演算回路）等からなる制御手段１１６（以下ＣＰＵ１１６という）と、このＣＰＵ１１６に対して電力を供給する電源回路１２１と、上述の操作ボタン群４１に各連動し各種の指示信号を発生させて当該指示信号をＣＰＵ１１６へと伝達する複数の操作スイッチ等からなる操作スイッチ（ＳＷ）群１２０と、情報表示装置２（図１参照）との通信を行な
うための接続ケーブル２ｅが接続される接続端子１９と、この接続端子１９とＣＰＵ１１６との間に介在しＣＰＵ１１６の指令によって本外部機器１と情報表示装置２との間の通信を制御してデータ転送等を行なう通信コントローラ１２３と、当該外部機器１に関する所定の情報表示等を行なうための表示画面を含んで構成される情報表示部（図４では単に表示部と略記している）１３と、ＣＰＵ１１６の指示信号に基づいて情報表示部１３を駆動制御する表示駆動回路１１８と、被写体からの光束を集光する撮影レンズ１７と、この撮影レンズ１７を透過した光束により形成される被写体を含む光学像を受けて電気信号に変換する光電変換処理を行ない得る素子であって例えば電荷結合素子（Ｃｈａｒｇｅ　Ｃｏｕｐｌｅｄ　Ｄｅｖｉｃｅ；ＣＣＤという）や相補型金属酸化膜半導体（Ｃｏｍｐｌｅｍｅｎｔａｒｙ　Ｍｅｔａｌ−Ｏｘｉｄｅ　Ｓｅｍｉｃｏｎｄｕｃｔｏｒ；ＣＭＯＳという）等によって構成される撮像素子１２６と、この撮像素子１２６による光電変換作用の結果生成される電気信号（画像信号）を受けて各種所定の画像信号処理等を行なう画像エンコーダ１２５と、この画像エンコーダ１２５において行なわれる処理であって記録するのに最適な形態となるように変換された画像データ等を所定の領域に記録する半導体素子等からなる記録媒体１２２等によって構成されている。
【００３３】
操作スイッチ（ＳＷ）群１２０はＣＰＵ１１６に電気的に接続されており、当該ＣＰＵ１１６は操作スイッチ（ＳＷ）群１２０からの各種の指示信号を受けて所定の制御処理を行なうようになっている。この操作スイッチ（ＳＷ）群１２０は複数の操作スイッチ等によって構成されている。例えば
録音ボタン１４の操作に連動して録音を指示する指示信号を発生させる録音スイッチ１４ａ、
メニュー／フォルダボタン１５の操作に連動してメニュー切換指示信号又はフォルダ切換指示信号を発生させるメニュー／フォルダスイッチ１５ａ、
シャッターボタン１６の１段目の操作に連動して測光指示信号を発生させる第１シャッタースイッチ（シャッター１ｓｔスイッチ）１６ａ及び同シャッターボタン１６の２段目の操作に連動して露出指示信号（シャッターリリース信号等）を発生させる第２シャッタースイッチ（シャッター２ｎｄスイッチ）１６ｂによって構成される二段スイッチ、
消去ボタン２０の操作に連動してファイルの消去を行なう指示信号を発生させる消去スイッチ２０ａ、
停止ボタン２２の操作に連動して動作の停止を指示する指示信号を発生させる停止スイッチ２２ａ、
戻しボタン２３の操作に連動して再生位置の戻し方向への変更を指示する信号等の所定の指示信号を発生させる戻しスイッチ２３ａ、
送りボタン２４の操作に連動して再生位置を進める方向への変更を指示する信号等の所定の指示信号を発生させる送りスイッチ２４ａ、
再生ボタン２５の操作に連動して再生を開始する指示信号を発生させる再生スイッチ２５ａ、
等がある。
【００３４】
上述したように、プリアンプ１０４にはマイク１１又はライン入力端子１０２の何れか一方からの音声信号が入力切換スイッチ（ＳＷ）１０３による切り換えによって選択されるようになっている。通常状態においては、入力切換スイッチ（ＳＷ）１０３はマイク１１の側に接続されている。つまり、マイク１１からの音声信号がプリアンプ１０４へと入力されるようになっている。この状態において、ライン入力端子１０２に対して外部マイクや音声入力用の接続ケーブル等を接続すると、入力切換スイッチ（ＳＷ）１０３はライン入力端子１０２の側に切り換わるようになっている。これにより、当該ライン入力端子１０２からの音声信号がプリアンプ１０４へと入力されるようになる。
【００３５】
オーディオコーディック１０５は、入力アンプ１０５ａ・アナログデジタル（ＡＤ）コンバータ１０５ｂ・デジタルフイルタ１０５ｃ・デジタルアナログ（ＤＡ）コンバータ１０５ｄ・出力アンプ１０５ｅ等を具備して構成されている。
【００３６】
上述したように、オーディオコーディック１０５から出力されるアナログ音声信号は、出力切換スイッチ（ＳＷ）１０６による切り換えによってイヤホンアンプ１０８又はスピーカアンプ１１０の何れか一方に選択的に出力されるようになっている。通常状態においては、出力切換スイッチ（ＳＷ）１０６はスピーカアンプ１１０の側に接続されている。つまり、オーディオコーディック１０５から出力される音声信号はスピーカアンプ１１０を介してスピーカー２６へと出力され、当該スピーカー２６によって発音されるようになっている。この状態において、イヤホン端子３１に対してイヤホンの接続端子（図示せず）を接続すると、出力切換スイッチ（ＳＷ）１０６はイヤホンアンプ１０８の側に切り換わるようになっている。これにより、オーディオコーディック１０５から出力される音声信号はイヤホンアンプ１０８を介してイヤホン（図示せず）へと出力され、当該イヤホンによって発音されるようになっている。
【００３７】
上述したように、通信コントローラ１２３はＣＰＵ１１６の制御によって情報表示装置２との間で相互にデータ転送等の通信を制御するために設けられるものである。この通信コントローラ１２３には接続端子１９が接続されており、当該接続端子１９には、図１に示すように所定の接続ケーブル２ｅを介して情報表示装置２等が接続されるようになっている。したがって、本外部機器１と情報表示装置２とが接続ケーブル２ｅによって接続された状態では、ＤＳＰ１１４や記録媒体１２２から読み出された音声データ等が通信コントローラ１２３及び接続端子１９と所定の接続ケーブル２ｅを介して情報表示装置２へと伝送され得るようになっている。また情報表示装置２側にある所定の音声データや画像データ等も本外部機器１の側へ転送し得るようになっている。
【００３８】
さらに、ＣＰＵ１１６には表示駆動回路１１８を介して情報表示部１３が接続されている。したがって、ＣＰＵ１１６は操作スイッチ（ＳＷ）群１２０からの指示信号や本外部機器１のシステム状態等に応じて表示駆動回路１１８を制御して情報表示部１３の表示画面上に所定の表示、例えば本外部機器１において設定されている動作モードや動作状況・記録済みの音声データに関する情報（録音時間や録音日時等の情報）・内蔵時計に基づく年月日時刻表示・電源電池の残容量の表示・メモリ残容量の表示・所定の警告表示等等の各種情報表示を行なうことができるようになっている。
【００３９】
一方、撮影レンズ１７は被写体からの光束を集光して所定の位置に被写体像を形成するようになっている。この撮影レンズ１７によって形成される被写体像は撮像素子１２６の撮像面上に投影され、ここで光電変換処理が行なわれるようになっている。そして、この撮像素子１２６による光電変換処理の結果生成された電気信号、つまり画像を表わす画像信号は画像エンコーダ１２５へと出力され、ここで各種所定の画像信号処理が行なわれるようになっている。そして、この画像エンコーダ１２５において、記録するのに最適な形態となるように変換された画像データは、ＣＰＵ１１６を介して記録媒体１２２へと出力され、この記録媒体１２２の所定の領域に記録されるようになっている。
【００４０】
なお、本外部機器１によって記録される画像データは、例えばＪＰＥＧ（Ｊｏｉｎｔ　Ｐｈｏｔｏｇｒａｐｈｉｃ　Ｅｘｐｅｒｔ　Ｇｒｏｕｐ）形式やビットマップ（Ｂｉｔ　Ｍａｐ）形式等、一般的な画像データファイルの形態が適用される。
【００４１】
このように外部機器１によって記録されるべき音声データ及び画像データのそれぞれは、複数のデータファイルの形態で記録媒体１２２の所定の領域にそれぞれ記録されるようになっている。
【００４２】
この場合において、記録媒体１２２に記録される音声データファイル及び画像データファイルは、それぞれを容易に判別し得るような形態で記録されることになる。
【００４３】
図５は、外部機器１が具備する記録媒体の内部における記録領域の形態を示す概念図である。
【００４４】
外部機器１が具備する記録媒体１２２において、その内部のデータ記録用領域には音声データファイルを格納するための記録領域である音声フォルダと、画像データファイルを格納するための記録領域である画像フォルダとの少なくとも二つのデータ格納用フォルダが設けられる。このような構成とすることで記録媒体１２２に記録される複数のデータファイルのうち音声データファイルと画像データファイルとは、それぞれが専用の格納用フォルダに記録されることになる。そして、ファイル管理はフォルダ単位で行なうことができるようになっている。
【００４５】
データ格納用フォルダは、音声フォルダと画像フォルダとが少なくとも各一個ずつ用意されていればよいのであるが、これに限らずそれぞれがいくつあっても構わない。本実施形態においては、図５に示すように二個の音声フォルダ（Ａ・Ｂ）と、一個の画像フォルダを備えて構成している。
【００４６】
各フォルダ内には、対応する形態のデータファイルがそれぞれに格納されるようになっており、各データファイルには各フォルダ内において所定の順序でファイル番号が附されるようになっている。このファイル番号は例えば各ファイルの記録順に割り振られるようになっている。これにより、フォルダ内における個々のデータファイルは容易に判別し得るようになっている。
【００４７】
本実施形態においては、図５に示すように各フォルダ内にはそれぞれ１００個のデータファイルを格納し得るものとし、ファイル番号は「Ｎｏ．１」〜「Ｎｏ．１００」までの連番で附するようにしている。
【００４８】
なお、画像フォルダ内には本外部機器１によって記録される画像データファイルの全てが撮影順に記録されるようになっている。また、音声データファイルと画像データファイルとの関連付け情報については、後述するように各データファイルに付随するファイルヘッダー部に記録されるようになっている。
【００４９】
次に、本外部機器１の記録媒体に記録される音声データファイル及び画像データファイルの詳細構成について図６〜図８に基づき以下に説明する。
【００５０】
図６は外部機器の記録媒体に記録される音声データを含む音声データファイルの詳細構成を示す概念図である。また、図７は図６の音声データファイルのファイルヘッダー部の一部であるリンクファイル情報の詳細構成を示す概念図である。そして、図８は外部機器の記録媒体に記録される画像データを含む画像データファイルの詳細構成を示す概念図である。
【００５１】
音声データファイルは、記録媒体１２２に対して記録される際に作成されるファイルヘッダー部によって管理されるようになっている。このファイルヘッダー部は５１２バイトのフィールド（１セクタ）で定義される。
【００５２】
まず、図６・図７によって音声データファイルの詳細構成を説明する。
【００５３】
音声データファイルのファイルヘッダー部は、図６に示すように先頭から６バイト分（ａｄｄｒｅｓｓ　０−５）に、当該データファイルの録音開始日時の情報が例えば「ＨＨＭＭＳＳ」の形態で記録される。ここで「ＨＨ」は「時（ｈｏｕｒ）」情報を、「ＭＭ」は「分（ｍｉｎｕｔｅ）」情報を、「ＳＳ」は「秒（ｓｅｃｏｎｄ）」情報を、それぞれ表わしている。
【００５４】
次の１バイト分（ａｄｄｒｅｓｓ　６）には、音質に関する録音レート情報が記録される。ここで録音レートとしては、例えば「ＨＱモード」による高音質録音、「ＳＰモード」による標準音質録音、「ＬＰモード」による長時間（低音質）録音等の録音モードに対応するものであって、予め定義されている各録音レートに対応し１バイトで表わされる番号・符号等が記録されることになる。なお録音モードの切り換えは、メニュー／フォルダボタン１５の操作によって呼び出されるメニュー画面の中で行なうことができるようになっている。
【００５５】
次の２バイト分（ａｄｄｒｅｓｓ　７−８）には、ファイルＩＤ情報が記録される。このファイルＩＤ情報は、当該記録媒体１２２に記録されるデータファイルの記録順に音声データと画像データとによらず割り振られる各ファイルに個別の番号情報である。
【００５６】
以降のアドレス領域（ａｄｄｒｅｓｓ　９−３５８）には、当該音声データファイルに関連付けられている画像データファイルのリンクファイル情報が記録される。この場合において、一つのリンクファイル情報に付いては７バイト分が確保されている。
【００５７】
詳述するとリンクファイル情報は、図７に示すように２バイト分のファイル番号（Ｎｏ．）情報と、２バイト分のファイルＩＤ情報と、３バイト分のリンク（関連付け）位置情報（ＨＭＳ）との合計７バイトで構成されている。
【００５８】
そして、このリンクファイル情報は、当該音声データファイルに関連付けられている画像データファイルに応じた数だけ記録されるようになっている。なお、本実施形態においては一つの音声データファイルに対して最大５０個の画像データファイルを関連付けることができるようしている。したがって、ファイルヘッダー部において所定のアドレス（ａｄｄｒｅｓｓ　３５８）までが利用されるようになっている。
【００５９】
なお、以降のアドレス（ａｄｄｒｅｓｓ　３５９−５１１）は、本実施形態においては空白（ＢＬＡＮＫ）としているが、その他の情報を記録するようにしても構わない。
【００６０】
そして、音声データファイルにおけるそれ以降のアドレス（ａｄｄｒｅｓｓ　５１２）の領域には音声データ自体が記録されるようになっている。
【００６１】
次に、図８によって画像データファイルの詳細構成を説明する。
【００６２】
画像データファイルのファイルヘッダー部は、図８に示すように先頭から６バイト分（ａｄｄｒｅｓｓ　０−５）に当該データファイルの撮影日時の情報が、例えば音声データファイルと同様の「ＨＨＭＭＳＳ」の形態で記録される。
【００６３】
次の２バイト分（ａｄｄｒｅｓｓ　６−７）にはファイルＩＤ情報が記録される。
【００６４】
次の１バイト分（ａｄｄｒｅｓｓ　８）には、当該画像データファイルが音声データファイルの記録中に取得されたか否か、即ち録音動作中の撮影結果であるか否か、即ち関連付けられている音声データファイルの有無の判別を行なうリンク有無情報が記録される。
【００６５】
このリンク有無情報として「有」である旨を表わす情報が記録される場合には、次の６バイト分（ａｄｄｒｅｓｓ　９−１４）を使用して当該画像データファイルが何れの音声データファイルに関連付けられているかのリンク情報が記録される。なお、リンク有無情報が「無」である旨を表わす場合は、当該６バイト分（ａｄｄｒｅｓｓ　９−１４）の領域は空白である。
【００６６】
リンク情報について詳述すると、１バイト分（ａｄｄｒｅｓｓ　９）に関連付けられている音声データファイルのリンク先フォルダ情報を、次の２バイト分（ａｄｄｒｅｓｓ　１０−１１）に関連付けられている音声データファイルのファイル番号情報を、次の３バイト分（ａｄｄｒｅｓｓ　１２−１４）に関連づけられている音声データファイル内において何れの位置に関連付けされているかのリンク位置情報が記録される。
【００６７】
なお、ファイルヘッダー部において以降のアドレス（ａｄｄｒｅｓｓ　１５−５１１）は、本実施形態においては空白（ＢＬＡＮＫ）としているが、その他の情報を記録するようにしても構わない。
【００６８】
そして、画像データファイルにおけるそれ以降のアドレス（ａｄｄｒｅｓｓ　５１２）の領域には画像データ自体が記録されるようになっている。
【００６９】
このような構成とすることで、例えば画像データファイルのファイルヘッダー部を参照すれば、これに対応する音声データファイルと、そのリンク位置情報等を即座にかつ確実に判別することができる。また、音声データファイルのファイルヘッダー部を参照することによっても、同様に自己に関連付けされている画像データファイルを容易にかつ迅速に参照することができるようになる。
【００７０】
なお、本外部機器１では、記録媒体１２２に記録済みの個々のデータファイルのファイル情報、即ちファイルヘッダー部に記録されているファイル情報は、情報表示部１３を利用して表示することができるようになっている。
【００７１】
このように構成された上記外部機器１の作用について以下に説明する。
図９は、本実施形態の情報表示装置に接続される外部機器の動作の流れを概略的に示すメインフローチャートである。図１０は当該外部機器によって実行される撮影処理の流れを示すフローチャートである。図１１は当該外部機器によって実行される録音処理の流れを示すフローチャートである。
【００７２】
まず、外部機器１の主電源がオン状態にされると、図９のステップ１において、当該外部機器１のシステムの初期設定処理が実行される。当該処理が完了すると次のステップＳ２の処理に進む。この状態において、本外部機器１は各種の操作を行ない得る状態となる。このときＣＰＵ１１６は操作スイッチ（ＳＷ）群１２０等からの指示信号等を監視する待機状態となる。即ち、ステップＳ２以降において、何らかの操作部材が操作されることによって生じる割り込み信号の処理を行なう処理ルーチンに入る。
【００７３】
なお、上述したように本外部機器１においては、主電源のオンオフを切り換える操作部材を独立して設けず、主電源操作部材の役目をホールドボタン１８が兼務している。
【００７４】
ステップＳ２において、ＣＰＵ１１６は、シャッターボタン１６の１段目の操作に連動するシャッター１ｓｔ．スイッチ１６ａからの指示信号がオン（ＯＮ）状態であるか否かの確認を行なう。ここで、ＣＰＵ１１６によって当該シャッター１ｓｔ．スイッチ１６ａからの指示信号が発生したことが確認されるとステップＳ３の処理に進む。また、ＣＰＵ１１６によって当該シャッター１ｓｔ．スイッチ１６ａからの指示信号は発生していないと判断されると、ステップＳ４の処理に進む。
【００７５】
ステップＳ３において、ＣＰＵ１１６は、所定の撮影処理を実行した後、次のステップＳ４の処理に進む。この撮影処理の詳細については後述する（図１０参照）。
【００７６】
ステップＳ４において、ＣＰＵ１１６は、録音ボタン１４の操作に連動する録音スイッチ１４ａからの指示信号がオン（ＯＮ）状態であるか否かの確認を行なう。ここで、ＣＰＵ１１６によって当該録音スイッチ１４ａからの指示信号が発生したことが確認されるとステップＳ５の処理に進む。また、ＣＰＵ１１６によって当該録音スイッチ１４ａからの指示信号は発生していないと判断されると、ステップＳ６の処理に進む。
【００７７】
ステップＳ５において、ＣＰＵ１１６は、所定の録音処理を実行した後、次のステップＳ６の処理に進む。この録音処理の詳細については後述する（図１１参照）。
【００７８】
ステップＳ６において、ＣＰＵ１１６は、再生ボタン２５の操作に連動する再生スイッチ２５ａからの指示信号がオン（ＯＮ）状態であるか否かの確認を行なう。ここで、ＣＰＵ１１６によって当該再生スイッチ２５ａからの指示信号が発生したことが確認されるとステップＳ７の処理に進む。また、ＣＰＵ１１６によって当該再生スイッチ２５ａからの指示信号は発生していないと判断されると、ステップＳ８の処理に進む。
【００７９】
ステップＳ７において、ＣＰＵ１１６は、所定の再生処理を実行した後、次のステップＳ８の処理に進む。
【００８０】
ステップＳ８において、ＣＰＵ１１６は、送りボタン２４の操作に連動する送りスイッチ２４ａからの指示信号がオン（ＯＮ）状態であるか否かの確認を行なう。ここで、ＣＰＵ１１６によって当該送りスイッチ２４ａからの指示信号が発生したことが確認されるとステップＳ９の処理に進む。また、ＣＰＵ１１６によって当該送りスイッチ２４ａからの指示信号は発生していないと判断されると、ステップＳ１０の処理に進む。
【００８１】
ステップＳ９において、ＣＰＵ１１６は、所定の送り処理を実行した後、次のステップＳ１０の処理に進む。
【００８２】
ステップＳ１０において、ＣＰＵ１１６は、戻しボタン２３の操作に連動する戻しスイッチ２３ａからの指示信号がオン（ＯＮ）状態であるか否かの確認を行なう。ここで、ＣＰＵ１１６によって当該戻しスイッチ２３ａからの指示信号が発生したことが確認されるとステップＳ１１の処理に進む。また、ＣＰＵ１１６によって当該戻しスイッチ２３ａからの指示信号は発生していないと判断されると、ステップＳ１２の処理に進む。
【００８３】
ステップＳ１１において、ＣＰＵ１１６は、所定の戻し処理を実行した後、次のステップＳ１２の処理に進む。
【００８４】
ステップＳ１２において、ＣＰＵ１１６は、メニュー／フォルダボタン１５の操作に連動するメニュー／フォルダスイッチ１５ａからの指示信号がオン（ＯＮ）状態であるか否かの確認を行なう。ここで、ＣＰＵ１１６によって当該メニュー／フォルダスイッチ１５ａからの指示信号が発生したことが確認されるとステップＳ１３の処理に進む。また、ＣＰＵ１１６によって当該メニュー／フォルダスイッチ１５ａからの指示信号は発生していないと判断されると、ステップＳ１４の処理に進む。
【００８５】
ステップＳ１３において、ＣＰＵ１１６は、所定のフォルダ切換処理を実行した後、次のステップＳ１４の処理に進む。
【００８６】
ステップＳ１４において、ＣＰＵ１１６は、消去ボタン２０の操作に連動する消去スイッチ２０ａからの指示信号がオン（ＯＮ）状態であるか否かの確認を行なう。ここで、ＣＰＵ１１６によって当該消去スイッチ２０ａからの指示信号が発生したことが確認されるとステップＳ１５の処理に進む。また、ＣＰＵ１１６によって当該消去スイッチ２０ａからの指示信号は発生していないと判断されると、ステップＳ１６の処理に進む。
【００８７】
ステップＳ１５において、ＣＰＵ１１６は、所定のファイル消去処理を実行した後、次のステップＳ１６の処理に進む。
【００８８】
ステップＳ１６において、ＣＰＵ１１６は、停止ボタン２２の操作に連動する停止スイッチ２２ａからの指示信号がオン（ＯＮ）状態であるか否かの確認を行なう。ここで、ＣＰＵ１１６によって当該停止スイッチ２２ａからの指示信号が発生したことが確認されるとステップＳ１７の処理に進む。また、ＣＰＵ１１６によって当該停止スイッチ２２ａからの指示信号は発生していないと判断されると、上述のステップＳ２の処理に戻り、以降の処理を繰り返す。
【００８９】
ステップＳ１７において、ＣＰＵ１１６は、所定のメモリ残量表示処理を実行した後、上述のステップＳ２の処理に戻り、以降の処理を繰り返す。
【００９０】
次に、本外部機器１における撮影処理の詳細を図１０に基づいて以下に説明する。なお、この撮影処理は、図９のステップＳ３の処理に相当する。
【００９１】
上述したように、図９のステップＳ２の処理でＣＰＵ１１６がシャッター１ｓｔ．スイッチ１６ａからの指示信号の発生を確認すると図１０の撮影処理（図９のステップＳ３の処理）に進む。
【００９２】
この撮影処理に移行すると、まずＣＰＵ１１６はステップＳ２１において、記録媒体１２２の所定の記録領域を参照し記録することができる領域、即ち媒体残量の有無の確認を行なう。ここで、ＣＰＵ１１６は記録媒体１１２の媒体残量が無いものと判断した場合にはステップＳ２９の処理に進む。また、ＣＰＵ１１６は記録媒体１１２の媒体残量が充分に在ることを確認すると、次のステップＳ２２の処理に進む。
【００９３】
ステップＳ２２において、ＣＰＵ１１６は電源回路１２１を参照して外部機器１が確実に動作するのに必要となる電力が残っているか否か、即ち電池残量の有無を確認する。この電池残量の確認は、例えばＣＰＵ１１６に接続される電源回路１２１の状態を参照して判断される。ここで、電池残量が動作するのに足りないものと判断された場合には、ステップＳ２９の処理に進む。また、ＣＰＵ１１６は電池残量が充分に在ることを確認すると、次のステップＳ２３の処理に進む。
【００９４】
上述のステップＳ２１・Ｓ２２の各処理において、媒体残量又は電池残量が充分では無いと判断されてステップＳ２９の処理に進むと、このステップＳ２９において、ＣＰＵ１１６は撮影できない旨のエラー警告を、例えば情報表示部１３等を用いて告知する。その後、この撮影処理ルーチンを終了し、図９のステップＳ４の処理に進む（リターン）。
【００９５】
次に、上述のステップＳ２２において、電池残量が充分に在り撮影動作を実行することが可能であるものと判断されて次のステップＳ２３の処理に進むと、このステップＳ２３において、ＣＰＵ１１６は露出及び明るさの測定処理（測光処理）等の撮影準備動作を実行する。
【００９６】
即ち、撮影レンズ１７を透過した光束は撮像素子１２６の受光面に照射され、これによって光電変換がなされる。この撮像素子１２６の光電変換処理によって生成された画像信号は画像エンコーダ１２５に入力されることになる。ＣＰＵ１１６は、この画像エンコーダ１２５に入力された画像信号に基づいて測光処理を実行する。これにより、所望の被写体像に最適な露出値が算出されると、ＣＰＵ１１６はこれに基づいて撮像素子１７等を制御して露出調節を行なって撮影の準備動作を実行して撮影待機状態となる。その後、ステップＳ２４の処理に進む。
【００９７】
ステップＳ２４において、ＣＰＵ１１６はシャッターボタン１６の２段目の押圧操作がなされたか否か、即ちシャッター２ｎｄ．スイッチ１６ｂからの指示信号の発生の有無を確認する。ここで、ＣＰＵ１１６はシャッター２ｎｄ．スイッチ１６ｂからの指示信号を確認すると、次のステップＳ２６の処理に進む。また、シャッター２ｎｄ．スイッチ１６ｂからの指示信号の発生が無いものと判断されると、ステップＳ２５の処理に進む。
【００９８】
ステップＳ２５において、ＣＰＵ１１６は、シャッター１ｓｔ．スイッチ１６ａからの指示信号を確認する。これによりシャッターボタン１６の第１段目の押圧操作が解除されたか否かの確認を行なう。ここで、シャッターボタン１６の第１段目の押圧操作が解除されたものとＣＰＵ１１６が判断した場合には、撮影動作を中断したものと判断し、この一連の撮影処理ルーチンを終了する。その後、元の処理ルーチンに戻る（リターン）。
【００９９】
また、シャッターボタン１６の第１段目の押圧操作は解除されていないものとＣＰＵ１１６が判断した場合には、上述のステップＳ２４の処理に戻り、以降の処理を繰り返す。
【０１００】
上述のステップＳ２４の処理において、シャッターボタン１６の第２段目の押圧操作がなされたことが確認され、次のステップＳ２６の処理に進むと、このステップＳ２６において、ＣＰＵ１１６は直前の撮影動作によって取得した画像データに対応する撮影情報、すなわち当該画像データファイルのファイルヘッダー部に記録すべきファイル情報を用意する。その後、ステップＳ２７の処理に進む。
【０１０１】
ステップＳ２７において、ＣＰＵ１１６は画像エンコーダ１２５を制御して取得した画像信号についての符号化処理を行ない画像データを生成する。そして、この画像データと上述のステップＳ２６の処理で用意したファイル情報とに基づいて画像データファイルを生成する。その後、次のステップＳ２８の処理に進む。
【０１０２】
ステップＳ２８において、ＣＰＵ１１６は所定のファイル保存処理を行なう。即ち、上述のステップＳ２７の処理で生成した画像データファイルを記録媒体１２２の所定の領域、即ち画像フォルダ内に格納保存する処理を行なう。そして、一連の撮影処理ルーチンを終了し、元の処理ルーチンに戻る（リターン）。
【０１０３】
次に、本外部機器１における録音処理の詳細を図１１に基づいて以下に説明する。なお、この録音処理は、図９のステップＳ５の処理に相当する。
【０１０４】
上述したように、図９のステップＳ４の処理でＣＰＵ１１６が録音スイッチ１４ａからの指示信号の発生を確認すると図１１の録音処理（図９のステップＳ５の処理）に進む。
【０１０５】
この録音処理に移行すると、まずＣＰＵ１１６は、ステップＳ３１・Ｓ３２において上述の撮影処理における図１０のステップＳ２１・Ｓ２２と同様の処理、即ち媒体残量の確認（ステップＳ３１）及び電池残量の確認（ステップＳ３２）の各処理を行なう。
【０１０６】
即ち、ステップＳ３１において、ＣＰＵ１１６は記録媒体１２２の媒体残量の有無の確認を行なう。ここで、ＣＰＵ１１６は記録媒体１１２の媒体残量が無いものと判断した場合にはステップＳ４１の処理に進む。また媒体残量が充分に在ることを確認すると、次のステップＳ３２の処理に進む。
【０１０７】
ステップＳ３２において、ＣＰＵ１１６は電池残量の有無を確認する。ここで、電池残量が動作するのに足りないものと判断された場合には、ステップＳ４１の処理に進む。また電池残量が充分に在ることを確認すると、次のステップＳ３３の処理に進む。
【０１０８】
上述のステップＳ３１・Ｓ３２の各処理において、媒体残量又は電池残量が充分では無いと判断されてステップＳ４１の処理に進むと、このステップＳ４１において、ＣＰＵ１１６は録音できない旨のエラー警告を、例えば情報表示部１３等を用いて告知する。その後、この録音処理ルーチンを終了し、図９のステップＳ６の処理に進む（リターン）。
【０１０９】
次に、上述のステップＳ３２において、電池残量が充分に在り撮影動作を実行することが可能であるものと判断されて次のステップＳ３３の処理に進むと、このステップＳ３３において、ＣＰＵ１１６はこれから開始する録音動作によって取得すべき音声データに対応する録音情報、すなわち当該音声データファイルのファイルヘッダー部に記録すべきファイル情報を用意する。その後、ステップＳ３４の処理に進む。
【０１１０】
ステップＳ３４において、ＣＰＵ１１６は所定の録音動作を開始する。この録音動作が開始すると、マイク１１によって集音され又はライン入力端子１０２から入力され電気信号に変換された音声信号はプリアンプ１０４によって所定のレベルに増幅された後、オーディオコーディック１０５に入力され、このオーディオコーディック１０５において所定の信号処理が施された後、ＤＳＰ１１４へと出力され、このＤＳＰ１１４によって順次符号化処理がなされる。そして、この符号化処理された音声データは、ＤＳＰ１１４の内部に設けられる一時メモリ等に記録される。この録音動作中において、ＣＰＵ１１６は同時にステップＳ３５以降の処理を実行する。
【０１１１】
ステップＳ３５において、ＣＰＵ１１６はシャッター１ｓｔ．スイッチ１６ａからの指示信号を監視することによりシャッターボタン１６が操作されたか否かの確認を行なう。ここで、シャッター１ｓｔ．スイッチ１６ａからの指示信号の発生が確認されると、実行中の録音動作は継続したまま、次のステップＳ３６の処理を並行して実行する。このステップＳ３６において、ＣＰＵ１１６は、上述の撮影処理ルーチン（図１０参照）を実行し、これが終了すると、ステップＳ３７の処理に進む。
【０１１２】
なお、このように録音処理の実行中に並行して撮影処理が実行された場合においては、このとき録音動作中の音声データのファイルヘッダー部と、そのとき取得された画像データファイルのファイルヘッダー部とには、対応する関連付け情報が同時に記録されるようになっている。
【０１１３】
また、上述のステップＳ３５において、シャッター１ｓｔ．スイッチ１６ａからの指示信号の発生が所定時間確認されなかった場合には、実行中の録音動作は継続したまま、次のステップＳ３７の処理に進み、これを並行して実行する。
【０１１４】
ステップＳ３７において、ＣＰＵ１１６は上述のステップＳ３１の処理と同様の処理、即ち記録媒体１２２の媒体残量の有無の確認を行なう。ここで、ＣＰＵ１１６は記録媒体１１２の媒体残量が無いものと判断した場合にはステップＳ４０の処理に進み、このステップＳ４０において録音動作の実行を終了し、一連の録音処理ルーチンを終了させる。その後、図９のステップＳ６の処理に戻る（リターン）。
【０１１５】
また、上述のステップＳ３７において、媒体残量が充分に在ることが確認された場合には、次のステップＳ３８の処理に進む。
【０１１６】
ステップＳ３８において、ＣＰＵ１１６は電池残量の有無を確認する。ここで、電池残量が動作するのに足りないものと判断された場合には、ステップＳ４０の処理に進み、このステップＳ４０において録音動作の実行を終了し、一連の録音処理ルーチンを終了させる。その後、図９のステップＳ６の処理に戻る（リターン）。
【０１１７】
また、上述のステップＳ３８において、ＣＰＵ１１６は電池残量が充分に在ることを確認すると次のステップＳ３９の処理に進む。
【０１１８】
ステップＳ３９において、ＣＰＵ１１６は停止スイッチ２２ａからの指示信号が発生したか否かの監視を行なうことで停止ボタン２２が操作されたか否かの確認を行なう。ここで、停止ボタン２２が操作されたものと判断された場合には、録音動作を終了させる旨の指示が出されたものとして、次のステップＳ４０の処理に進み、このステップＳ４０において録音動作の実行を終了し、一連の録音処理ルーチンを終了させる。その後、図９のステップＳ６の処理に戻る（リターン）。
【０１１９】
また、上述のステップＳ３９において、停止ボタン２２が操作されていないと判断された場合には、上述のステップＳ３７の処理に戻り、以降の処理を繰り返す。
【０１２０】
なお、このようにして生成された音声データファイル及び画像データファイルは、上述したように記録媒体１２２の所定の領域、即ち二つの音声フォルダＡ・Ｂのうちいずれかの音声フォルダ又は画像フォルダに記録されることになる。この場合において、音声データファイルは、二つの音声フォルダＡ・Ｂのうちの何れかに記録されることになるが、何れのフォルダに記録するかは、録音動作を開始する前に予め選択設定しておくことになる。通常の場合は、何れか一方、例えば音声フォルダＡに記録されるようになっている。
【０１２１】
以上のようにして外部機器１を用いてその記録媒体１２２に記録した音声データ及び画像データは、図１に示すような形態で外部機器１と情報表示装置２とを接続することにより、当該情報表示装置２を用いて参照することができ、その装置本体２ａの内蔵スピーカーを利用して音声データに基づく発音を行なったり、その表示部２ｂに画像データに基づく画像を表示させたりすることができるようになっている。
【０１２２】
そのために、情報表示装置２には、これに接続される外部機器１の通信コントローラ１２３との間で通信を行なって当該外部機器１の記録媒体１２２に記録されている各データファイルのファイル情報を読み出し、情報表示装置２の制御回路へと送信する機能を実現する情報表示プログラムが導入されている。
【０１２３】
なお、この情報表示プログラムは、情報表示装置２と外部機器１との間で相互に通信を行なうことによって各種の機能を実現し得るようになっている。当該情報表示プログラムによって実現し得る機能としては、例えば各データファイルの相互転送を行なったり、外部機器１のＤＳＰ１１４からの出力を直接情報表示装置２の側へ送信したり、情報表示装置２の側においてデータ圧縮された形態で記録されているデータファイルを外部機器１のＤＳＰ１１４へと直接送信して当該外部機器１の側のスピーカー２６を利用して発音再生したり、外部機器１の記録媒体１２２に記録されているデータファイルを情報表示装置２の側に読み出して編集する等、さまざまな機能である。しかしながら、これら各種の機能については、本発明には直接的に関係しない部分であるので、その詳細な説明は省略するものとし、情報表示装置２に導入される情報表示プログラムによって実現される機能のうち、本発明に係わる部分について以下に詳述する。
【０１２４】
上述したように、本実施形態の情報表示プログラムが導入された情報表示装置２は、これに接続される外部機器１の通信コントローラ１２３との間で通信を行なって、その記録媒体１２２に記録済みの音声データファイル又は画像データファイルのファイル情報を参照することができるようになっている。
【０１２５】
図１２・図１３は本実施形態の情報表示装置と外部機器とを接続した状態において情報表示プログラムを起動した際の表示画面を示し、図１２は情報表示装置の側に保存されている音声データファイルを閲覧している際の表示画面を表わす図である。また図１３は外部機器の側に記録されている画像データファイルのうちの単独画像一覧を閲覧している際の表示画面を表わす図である。
【０１２６】
情報表示装置２と外部機器１とを図１に示すように接続した状態において、当該情報表示装置２に導入されている情報表示プログラムを起動させると図１２・図１３に示されるような表示が表示部２ｂによってなされる。この表示画面に対して所定の操作を行なうことによって、情報表示装置２又は外部機器１に記録されている各データファイルのファイル情報を参照することができるようになっている。
【０１２７】
まず、この情報表示プログラムによる表示画面の各部の名称について、図１２・図１３に基づき以下に説明する。
【０１２８】
図において、符号２００で示す画面枠の中の所定の表示領域に各種機能を実現するための操作領域及び表示領域が設定されている。このような画面枠２００の表示形式については、近年一般的に実用化され普及している小型コンピュータに導入されるプログラム（応用ソフトウェア）の表示形式に準じたものであり、本実施形態の情報表示プログラムも同様の形式のものが適用され、またその操作体系についても同様のものとなっている。
【０１２９】
図１２は、上述したように情報表示装置２の側に格納されている音声データファイルを閲覧表示している際の表示画面を表わしている。通常の場合、本情報表示プログラムを起動すると、この図１２に示す表示画面が表示されるようになっている。なお、外部機器１の側に格納されている音声データファイルを表示する場合にも同様な表示画面となる。
【０１３０】
図１２において画面枠２００の最上段部にはこの情報表示用プログラムの名称表示領域２０１が表示されている。その下欄には本情報表示プログラムによって実行し得る複数の機能の名称を主に文字によって表示するメニュー表示欄２０２が表示されている。このメニュー表示欄２０２に表示される機能名称は、図に示すように例えば「ファイル（Ｆ）」・「編集（Ｅ）」・「表示（Ｖ）」・「ツール（Ｔ）」・「転送（Ｒ）」・「ヘルプ（Ｈ）」等等であるが、これらの項目をマウス等のポインティングデバイス等によって指し示す（クリックする）等の操作を行なうことによって、又はキーボード等の入力手段によって所定の文字列を押し下げ指示することによって各項目の下層に用意されている機能名称が表示されたり、指示した機能が実行されるようになっている。
【０１３１】
メニュー表示欄２０２の下欄にはツール表示欄２０３が表示されている。このツール表示欄２０３には、本情報表示プログラムによって実行し得る複数の機能のうち頻繁に使用されるであろう機能の幾つかが絵文字（いわゆるアイコン）等によって表示されている。このツール表示欄２０３に表示されているアイコンうち所望のアイコンをポインティングデバイス等によってクリック操作することによって、選択された指示されたアイコンに対応する機能が即座に実行し得るようになっている。
【０１３２】
ツール表示欄２０３の下欄には、再生操作部表示欄２０４が表示されている。この再生操作部表示欄２０４には、予め選択された音声データファイルの時間的長さ（録音時間）が数字表記と時間軸によって表示されるようになっている。また、この時間軸上には再生位置や、その音声データに関連付けられている画像データがある場合にはその位置情報等のファイル情報が所定の形態で表示されるようになっている。さらに、再生操作のための操作用領域がボタン形式で表示されている。
【０１３３】
そして、再生操作部表示欄２０４の所定の領域をポインティングデバイス等によって所定の操作を行なうことによって、本情報表示装置２に記録されている音声データファイルや当該情報表示装置２に接続されている外部機器１に記録されている音声データファイルのうちの選択された音声データファイルを対象に再生操作や画像データファイルの関連付け操作等のファイル操作を行なうことができるようになっている。
【０１３４】
再生操作部表示欄２０４の下側の領域には、画面枠２００の左端側の領域にフォルダ構成表示領域が設けられている。このうち上段部には当該情報表示装置２の側に記録されているデータファイルのフォルダ構成を表示するＰＣ側フォルダ構成表示領域２０５が、下段部には当該情報表示装置２に接続されている外部機器（レコーダ）１の側に記録されているデータファイルのフォルダ構成を表示するレコーダ側フォルダ構成表示領域２０６が表示されている。なお、このレコーダ側フォルダ構成表示領域２０６は、情報表示装置２と外部機器１とが接続されている状態にあるときのみ表示されるようになっている。また、本情報表示装置２においては、図に示すように二つの音声フォルダ（Ａ・Ｂ）と一つの画像フォルダが用意されている。
【０１３５】
再生操作部表示欄２０４の下欄において、画面枠２００の略中央部には上述のフォルダ構成表示領域で選択されているフォルダの詳細内容、つまり個々のデータファイルの名称一覧を表示するためのファイル一覧表示領域２０８が表示されている。このファイル一覧表示領域２０８に表示されているデータファイルから所望のデータファイルをポインティングデバイス等を用いて選択操作することによって、そのデータファイルの表示や再生及び編集等を行なうことができるようになっている。
【０１３６】
再生操作部表示欄２０４の下欄において、画面枠２００の右端側の領域には上述のファイル一覧表示領域２０８で音声データファイルが選択されている場合にその選択された音声データファイルに関連付けられている画像データファイルの名称とそれに対応する縮小画像（サムネイル画像）の一覧が表示されるリンク画像表示領域２０９が表示されるようになっている。そして、画面枠２００の最下段には、状態表示欄２０７が表示されている。
【０１３７】
なお、図１２に示す状態では、二つの音声フォルダのうち音声フォルダＡが選択されており、この音声フォルダＡのうちファイル名称「ＤＷ＿Ａ０００５．ＷＡＶ」が選択されている状態を示している。そして、これに関連づけされた二つの画像データ「ＤＷ＿Ｃ０００１．ｊｐｇ」と「ＤＷ＿Ｃ０００２．ｊｐｇ」とが縮小画像として表示されている。
【０１３８】
図１３は上述したように外部機器１の側に記録されている画像データファイルのうち音声データとの関連付けがなされず単独で撮影された画像データファイルに対応する画像のみを閲覧している際の表示画面を表わしている。なお、情報表示装置２の側に格納されている画像データファイルを表示する場合にも同様な表示画面となる。
【０１３９】
図１３においては、画面枠２００の最上段部に情報表示用プログラムの名称表示領域２０１が表示され、その下欄にメニュー表示欄２０２が、その下欄にツール表示欄２０３が、その下欄に再生操作部表示欄２０４がそれぞれ表示されているのは、図１２と同様である。また、図１３において再生操作部表示欄２０４の下側の領域の画面枠２００の左端側の領域にフォルダ構成表示領域が設けられているのも図１２と同様である。
【０１４０】
そして、図１３においてはフォルダ構成表示領域の右側の領域に画像フォルダの詳細内容、つまり個々の画像データファイルの名称と対応する縮小画像（サムネイル画像）の一覧を表示するための画像ファイル一覧表示領域２１０が表示されている。このファイル一覧表示領域２１０に表示されている画像データファイルから所望の画像データファイルをポインティングデバイス等を用いて選択操作することによって、その画像データファイルの再生表示や編集等を行なうことができるようになっている。つまり、図１３の状態は、情報表示装置２又は外部機器１の画像フォルダを選択表示した場合に表示される表示画面となっている。
【０１４１】
このように、本実施形態の情報表示プログラムを情報表示装置２において起動させた場合には、図１２・図１３に示すような表示画面が表示部２ｂの画面上に表示されるようになっており、この表示画面上において使用者は所定の操作を行なうことで、情報表示装置２やこれに接続される外部機器１に記録済みの各データファイルについての表示や再生及び編集等を行なうことができるようになっている。
【０１４２】
次に、本実施形態の情報表示プログラムによって、情報表示装置２に接続されている外部機器１の記録媒体１２２の所定のフォルダに対して参照要求があった場合の処理ルーチンを図１４のフローチャートによって以下に説明する。
【０１４３】
図１４は情報表示装置２に導入された情報表示プログラムの作用によって実行される処理であってファイル情報を参照する際に行なわれる参照要求処理の流れを示すフローチャートである。
【０１４４】
外部機器１の記録媒体の領域内におけるフォルダは、情報表示装置２と外部機器１とを接続した状態で当該情報表示装置２に導入されている情報表示プログラムを起動することによって参照することができる。
【０１４５】
つまり、情報表示装置２と外部機器１とが接続した状態において、情報表示プログラムは情報表示装置２の制御回路によって実行され、参照要求処理のサブルーチンは、情報表示プログラムが起動した状態にあるときに、図１２・図１３に示すレコーダ側フォルダ構成表示領域２０６に表示される任意のアイコンをポインティングデバイス等を用いてクリック操作等の指示操作を行なうことで実行される。
【０１４６】
図１４において参照要求処理のサブルーチンが情報表示装置２の制御回路によって実行されると、まずステップＳ５０において、制御回路によって選択されたフォルダが音声フォルダであるか画像フォルダであるかの判断がなされる。ここで、音声フォルダが選択されたと判断された場合には、第１の表示モードが選択されたものとしてステップＳ５１の処理に進み、画像フォルダが選択されたと判断された場合には、第２の表示モードが選択されたものとしてステップＳ６１の処理に進む。
【０１４７】
ここで、情報表示装置２の制御回路は、外部機器１に格納されているデータを第１の表示モードで表示するか第２の表示モードで表示するかを選択する表示選択手段としての役目をしている。
【０１４８】
上述のステップＳ５０の処理において音声フォルダが選択されたと判断されてステップＳ５１の処理に進んだ場合には、このステップＳ５１において、第１の表示モードに対応する表示画面の切換処理、即ちファイル一覧と関連付け画像の一覧表示を行なう表示画面（リスト／リンクビュー；図１２に示す表示）に切り換える処理を行なう。その後、次のステップＳ５２の処理に進む。
【０１４９】
ステップＳ５２において、情報表示装置２と外部機器１との間で通信を行なって当該外部機器１の記録媒体１２２内部に記録されている音声データファイルをそのファイル番号順に検索を行なう。その後、ステップＳ５３の処理に進む。
【０１５０】
ステップＳ５３において、各音声データファイルのファイルヘッダ情報を抽出する。その後、次のステップＳ５４の処理に進む。
【０１５１】
ステップＳ５４において、音声データファイルのファイルヘッダ情報に関連付けられた画像についてのリンク情報が存在するか否かの確認を行なう。即ち所定のアドレス（ａｄｄｒｅｓｓ　９；図６参照）以降に関連付け情報が存在するか否かの確認が行なわれる。ここで、画像リンク情報が存在する場合には、ステップＳ５５の処理に進み、存在しない場合にはステップＳ５９の処理に進む。
【０１５２】
上述のステップＳ５４の処理において、リンク画像情報が存在することを確認してステップＳ５５の処理に進むと、このステップＳ５５において、そのリンク画像情報に応じた画像データファイルが外部機器１の画像フォルダに存在するか否かの検索を行なう。ここで、当該リンク画像が存在することが確認されると次のステップＳ５７の処理に進む、存在しない場合にはステップＳ５９の処理に進む。
【０１５３】
上述のステップＳ５６の処理において、リンク画像情報に対応する画像データファイルが外部機器１の画像フォルダに存在することが確認されてステップＳ５７の処理に進むと、このステップＳ５７において、当該リンク画像データのデータファイルを情報表示装置（図１４ではＰＣと表記している）２の側に転送する処理を行なう。その後、ステップＳ５８の処理に進む。
【０１５４】
ステップＳ５８において、情報表示装置２の内部におけるデータ記録領域（例えばハードディスクドライブ等の情報記録装置の記録領域等）に臨時フォルダ（Ｔｍｐフォルダ）を作成し、この臨時フォルダ内に上述のステップＳ５７の処理において外部機器１の側から情報表示装置２の側に転送したデータファイル（の複製）を格納する。次にステップＳ５９の処理に進む。
【０１５５】
なお、このように外部機器１のフォルダ情報を閲覧表示するのに際して情報表示装置２の側に臨時フォルダを用意して、ここに閲覧表示するための画像データファイル（の複製）を格納するようにしているのは、次に示すような理由による。即ち、情報表示装置２に接続された外部機器１の側のデータファイルを、情報表示プログラムから操作するに際しては、情報表示装置２と外部機器１との間で通信を行なってその都度ファイル情報を得るようにする手段が考えられる。しかし、このような手段では、例えば情報表示装置２と外部機器１との間の通信速度が遅い場合や、参照すべきファイル情報数が多く存在する場合等には、そのファイル検索のための時間が長くなってしまい、情報表示プログラムを操作する上で支障が生じる場合もある。
【０１５６】
そこで、情報表示装置２と外部機器１との間で行なう通信は一度だけとし、この一度の通信によって必要なデータファイルを随時、情報表示装置２の側の臨時フォルダに一時的に複製しておくようにしている。二回目以降の参照に対してはこの臨時フォルダを参照することでファイル情報の検索等を迅速に実行することができることになる。
【０１５７】
そして、次のステップＳ５９において、転送した音声データファイルのファイル情報についての一覧表示をファイル一覧表示領域２０８に行なう。その後、ステップＳ６０の処理に進む。
【０１５８】
ステップＳ６０において、ファイル一覧表示領域２０８に表示されている音声データファイルのうち選択されている音声データファイルがある場合には、その音声データファイルに関連づけられている画像データファイルに対応する画像の縮小表示一覧を関連付けされている時間順にリンク画像表示領域２０９に表示する。また、再生操作部表示欄２０４の所定の領域には、当該音声データファイルの時間軸上における関連位置情報を所定の形態のマーク（図１２では三角（▲）マークで示している）を用いて表示している。その後、この一連の処理ルーチンを終了する（リターン）。
【０１５９】
これによって、外部機器１の側の所望の音声データファイルに関連付けされている画像データファイルについての詳細、即ち画像そのものを縮小画像によって、またその関連付け位置については所定の形態のマークによって視覚的に容易に判別ができるようになっている。
【０１６０】
上述のステップＳ５１〜Ｓ６０の処理について簡略に説明すると、表示選択手段（制御手段）によって第１の表示モードが選択された場合において、外部機器１の任意の音声データを表示すると共に、その音声データに関連付けられている画像データを表示する機能が実現されている。なお、この機能を実現する第１の表示手段は情報表示装置２の制御回路が担っている。
【０１６１】
一方、上述のステップＳ５０の処理において画像フォルダが選択されたと判断されてステップＳ６１の処理に進んだ場合には、このステップＳ６１において、第２の表示モードに対応する表示画面の切換処理、即ち外部機器１の画像フォルダに記録されている画像データファイルのうち音声データとの関連付けがなされず単独で撮影された画像データファイルに対応する画像のみを縮小画像で表示する一覧表示画面（サムネイルビュー；図１３に示す表示）に切り換える処理を行なう。その後、次のステップＳ６２の処理に進む。
【０１６２】
ステップＳ６２において、情報表示装置２と外部機器１との間で通信を行なって当該外部機器１の記録媒体１２２内部に記録されている画像データファイルをそのファイル番号順に検索を行なう。その後、ステップＳ６３の処理に進む。
【０１６３】
ステップＳ６３において、各画像データファイルのファイルヘッダ情報を抽出する。その後、次のステップＳ６４の処理に進む。
【０１６４】
ステップＳ６４において、画像データファイルのファイルヘッダ情報に関連付けられた音声データについてのリンク情報が存在するか否かの確認を行なう。即ち所定のアドレス（ａｄｄｒｅｓｓ　８；図８参照）にリンク有り情報が存在するか否かの確認が行なわれる。ここで、リンク無し情報が存在する場合には、ステップＳ６５の処理に進む。一方、リンク有り情報が存在する場合にはステップＳ６６の処理に進み、このステップＳ６６において、ファイル転送処理については何もせずに、つまり画像転送処理をせずにステップＳ６８の処理に進む。
【０１６５】
上述のステップＳ６４の処理において、リンク無し情報が存在することを確認してステップＳ６５の処理に進むと、このステップＳ６５において、そのリンク無し情報の存在する画像データファイルを外部機器１の画像フォルダから情報表示装置２の側へと転送処理する。その後、ステップＳ６７の処理に進む。
【０１６６】
ステップＳ６７において、情報表示装置２の内部におけるデータ記録領域（例えばハードディスクドライブ等の情報記録装置の記録領域等）に臨時フォルダ（Ｔｍｐフォルダ）を作成し、この臨時フォルダ内に上述のステップＳ６５の処理において外部機器１の側から情報表示装置２の側に転送したデータファイル（の複製）を格納する。次にステップＳ６８の処理に進む。
【０１６７】
なお、このように情報表示装置２の側に臨時フォルダを用意するのは、上述の音声データファイルの転送時に同様の処理を行なうのと全く同じ理由による。
【０１６８】
次いで、ステップＳ６８において、転送した画像データファイルのファイル情報についての一覧表示のための情報を生成し、次のステップＳ６９の処理に進み、このステップＳ６９において、音声データファイルとの関連付けが無い画像データファイルに対応する画像の縮小画像をファイル一覧表示領域２１０に一覧表示する。その後、この一連の処理ルーチンを終了する（リターン）。
【０１６９】
これによって、外部機器１の側に記録されている画像データファイルのうち音声データファイルに関連付けされていない画像データファイルについての詳細、即ち画像そのものを縮小画像によって表示するようになっている。
【０１７０】
上述のステップＳ６１〜Ｓ６９の処理について簡略に説明すると、表示選択手段（制御手段）によって第２の表示モードが選択された場合において、外部機器１の画像データを格納するフォルダに格納されている画像データのうち外部機器１に格納されている音声データのいずれにも関連付けられていない画像データを表示する機能が実現されている。なお、この機能を実現する第２の表示手段は情報表示装置２の制御回路が担っている。
【０１７１】
以上説明したように上記一実施形態によれば、外部機器１と情報表示装置２とを接続した状態で当該情報表示装置２に導入された情報表示プログラムを用いることで、外部機器１によって当該機器１の記録媒体１２２に記録されている複数の音声データファイルや画像データファイルについてのファイル情報を容易に確認することができる。
【０１７２】
この場合において、特に音声データファイルと画像データファイルとの関連付け情報（リンク情報）の有無によって、画像データファイルの表示領域を異なるように構成したので、所望の画像データファイルが音声データファイルにリンクされているか否かの状態を容易に判別することができる。
【０１７３】
【発明の効果】
以上述べたように本発明によれば、音声データ及び画像データを格納した外部機器との間で通信を行なって当該外部機器に格納されている音声データ及び画像データを表示するのに際して音声データに関連付けられた画像データの状態を簡単にかつ明瞭に表示し得るようにした情報表示装置と、これに使用する情報表示プログラムとを提供することができる。
【図面の簡単な説明】
【図１】本発明の一実施形態の情報表示装置とこれに接続される外部機器を示す概略構成図。
【図２】図１の情報表示装置に接続される外部機器の主に操作面側を示す外観斜視図。
【図３】図１の情報表示装置に接続される外部機器の主に裏面側を示す外観斜視図。
【図４】図１の外部機器の内部構成を概略的に示すブロック構成図。
【図５】図１の外部機器が具備する記録媒体の内部における記録領域の形態を示す概念図。
【図６】図１の外部機器の記録媒体に記録される音声データを含む音声データファイルの詳細構成を示す概念図。
【図７】図６の音声データファイルのファイルヘッダー部の一部であるリンクファイル情報の詳細構成を示す概念図。
【図８】図１の外部機器の記録媒体に記録される画像データを含む画像データファイルの詳細構成を示す概念図。
【図９】図１の外部機器の動作の流れを概略的に示すメインフローチャート。
【図１０】図１の外部機器によって実行される撮影処理の流れを示すフローチャート。
【図１１】図１の外部機器によって実行される録音処理の流れを示すフローチャート。
【図１２】図１の情報表示装置と外部機器とを接続した状態において情報表示プログラムを起動した際の表示画面であって、情報表示装置の側に保存されている音声データファイルを閲覧している際の表示画面を表わす図。
【図１３】図１の情報表示装置と外部機器とを接続した状態において情報表示プログラムを起動した際の表示画面であって、外部機器の側に記録されている画像データファイルのうちの単独画像一覧を閲覧している際の表示画面を表わす図。
【図１４】図１の情報表示装置に導入された情報表示プログラムの作用によって実行される処理であってファイル情報を参照する際に行なわれる参照要求処理の流れを示すフローチャート。
【符号の説明】
１……外部機器（レコーダ）
２……情報表示装置（コンピュータ；表示選択手段・第１の表示手段・第２の表示手段）
２００……画面枠
２０１……名称表示領域
２０２……メニュー表示欄
２０３……ツール表示欄
２０４……再生操作部表示欄
２０５……ＰＣ側フォルダ構成表示領域
２０６……レコーダ側フォルダ構成表示領域
２０８……ファイル一覧表示領域
２０９……リンク画像表示領域
２１０……ファイル一覧表示領域
２１０……画像ファイル一覧表示領域
【図１】
2004134986.tif 000003
【図２】
2004134986.tif 000004
【図３】
2004134986.tif 000005
【図４】
2004134986.tif 000006
【図５】
2004134986.tif 000007
【図６】
2004134986.tif 000008
【図７】
2004134986.tif 000009
【図８】
2004134986.tif 000010
【図９】
2004134986.tif 000011
【図１０】
2004134986.tif 000012
【図１１】
2004134986.tif 000013
【図１２】
2004134986.tif 000014
【図１３】
2004134986.tif 000015
【図１４】
2004134986.tif 000016